(57)【要約】【課題】ラップフィルムなどのロール状包装材料を収納するカートンであって、収納したロール状包装材料からラップフィルムなどを引き出す時に、本体前板の上端辺に接触して滑りにくくなり引き出しにくくなることを防止し、かつ、簡単にカートンに形成することができる構造のロール状包装材料収納カートンを提供することにある。【解決手段】本発明は、ラップフィルムなどのロール状包装材料が収納される本体前板、本体底板、本体後板、両本体側板からなるカートン本体とその上方開口部の一側縁に起伏自在に連接された蓋体を有するロール状包装材料収納カートンであって、本体前板の上端辺を波形状としていることを特徴とするロール状包装材料収納カートンである。【選択図】図１
2004168380.tif 000002
【特許請求の範囲】
【請求項１】
ラップフィルムなどのロール状包装材料が収納される本体前板、本体底板、本体後板、両本体側板からなるカートン本体とその上方開口部の一側縁に起伏自在に連接された蓋体を有するロール状包装材料収納カートンであって、前記本体前板の上端辺の一部分又は全部分を波形状としていることを特徴とするロール状包装材料収納カートン。
【請求項２】
前記本体前板の上辺に一部分に波形状の切れ目を入れた折れ線を介して折り返し板を連設し、前記折り返し板を前記折線で折り返して前記本体前板の裏面の上縁部に貼り合わせていることを特徴とする請求項１に記載のロール状包装材料収納カートン。
【発明の詳細な説明】
【０００１】
【発明の属する技術分野】
本発明は、食品包装などに用いられるロール状のラップフィルムなどを収納するロール状包装材料収納カートンに関するものであり、詳しくは、収納したロールに巻いたラップフィルムなどが引き出しやすいように改良したロール状包装材料収納カートンに関するものである。
【０００２】
【従来の技術】
食品などを包むのに用いられるラップフィルムなどの包装材料は、通常、紙筒にロール状に巻かれたロール状包装材料として紙製のカートン内に収納されている。そして、カートンからラップフィルムなどの包装材料を所望の長さに引き出した後、カートンに付いた金属等の鋸刃により切断して使用するような形態となっている。ところで、従来のこの種のカートンでは、ロールに巻いたラップフィルムなどを引き出す時に、途中引き出しにくくなることがあった。そこで、このロール状包装材料からラップフィルムなどを引き出しやすくするため、カートン本体の前板を狭幅にした形状などが多く提案されている（例えば、特許文献１参照。）。
【０００３】
【特許文献１】
実開昭６０−１４８２４３号公報
【０００４】
【発明が解決しようとする課題】
しかしながら、上記のカートン本体の前板を狭幅にした形状のロール状包装材料収納カートンは、ラップフィルムなどをロール状包装材料から引き出す時に、引き出しやすくなるものの、ラップフィルムなどが本体前板の上端辺の接触する部分で滑りにくくなりロールの引き出し不良となることを防止することに対しては不十分であり、満足な形状のものとなっていないという問題である。
【０００５】
本発明は、上記のような問題点に鑑みなされたものであり、その目的とするところは、ラップフィルムなどのロール状包装材料を収納するカートンであって、収納したロール状包装材料からラップフィルムなどを引き出す時に、本体前板の上端辺に接触して滑りにくくなり引き出しにくくなることを防止し、かつ、簡単にカートンに形成することができる構造のロール状包装材料収納カートンを提供することにある。
【０００６】
【課題を解決するための手段】
上記目的を達成するために、本発明のロール状包装材料収納カートンは、ラップフィルムなどのロール状包装材料が収納される本体前板、本体底板、本体後板、両本体側板からなるカートン本体とその上方開口部の一側縁に起伏自在に連接された蓋体を有するロール状包装材料収納カートンであって、前記本体前板の上端辺を波形状としていることを特徴とするロール状包装材料収納カートンである。また、前記本体前板の上辺に一部分に波形状の切れ目を入れた折線を介して折り返し板を連設し、前記折り返し板を前記折線で折り返して前記本体前板の裏面の上縁部に貼り合わせている形態とすることもできるものである。
【０００７】
上記の構成からなる本発明のロール状包装材料収納カートンは、ラップフィルムなどのロール状包装材料を収納するカートンであって、カートン本体の本体前板の上端辺を波形状に形成することによって、収納したロール状包装材料からラップフィルムなどを引き出す時に、ラップフィルムなどが本体前板の上端辺に接触して滑りにくくなり引き出しにくくなることを防止し、カートンからラップフィルムなどを引き出しやすくし、かつ、簡単にカートンに形成することができる構造のカートンである。
【０００８】
【発明の実施の形態】
つぎに、本発明のロール状包装材料収納カートンの実施の形態を実施例をあげて説明する。図１は本発明に係るロール状包装材料収納カートンの第一の実施の形態の一実施例を示す斜視図であり、図２は図１のロール状包装材料収納カートンを形成するブランクを示す展開図であり、図３は本発明に係るロール状包装材料収納カートンの第一の実施の形態の本体前板の上端辺の形状の例を示す図であり、図４は本発明に係るロール状包装材料収納カートンの第二の実施の形態の一実施例を示す斜視図であり、図５は図４のロール状包装材料収納カートンを形成するブランクを示す展開図であり、図６は本発明のロール状包装材料収納カートンを折り畳まれた状態に組み立てる工程を説明する図であり、図７は本発明のロール状包装材料収納カートンにロール状包装材料を収納する工程を説明する図であり、そして、図８は本発明のロール状包装材料収納カートンを開封する状態を示す斜視図である。
【０００９】
図１は、本発明のロール状包装材料収納カートンの第一の実施の形態の一実施例を示す斜視図であり、ロール状包装材料収納カートン１は、ラップフィルムＳを紙管に巻回したロール状包装材料Ｒを収納するカートン本体１０と蓋体２０とから構成されている。通常のロール状包装材料収納カートンと異なり、カートン本体１０の本体前板１１の上端辺Ｐが波形に形成されていることが特長である。一般家庭や店舗その他において使用する時に、このロール状包装材料収納カートン１からラップフィルムＳの必要な長さを引き出し、主に魚介、蔬菜、果実類等の食品の包装用に使用されている。
【００１０】
図２は、本発明はロール状包装材料収納カートン１のブランクを示す展開図である。ブランク１Ａは、ロール状包装材料Ｒを収納するカートン本体１０の部分とカートン本体１０の開口部を覆う蓋体２０の部分から構成されている。カートン本体１０の部分では本体前板１１、本体底板１２、本体後板１３が順次折れ線ａ、ｂを介して連設され、本体前板１１の両側辺には、本体折り込み片１４、１４がそれぞれ折れ線ｃ、ｃを介して連設され、本体底板１２の両側辺には、本体側板１５、１５がそれぞれ折れ線ｄ、ｄを介して連設され、そして、本体後板１３の両側辺には、本体折り込み片１６、１６がそれぞれ折れ線ｅ、ｅを介して連設されている。
【００１１】
そして、本体前板１１の上端辺Ｐは、図３−ａに示すように、一部分、または、図３−ｂに示すように、全部分を、直線形状ではなく、波形状としている。この波形状は、通常サインカーブ状の波形とするが、山部の形状が、円弧状であればよく、谷部の形状は、図３−ｃに示すように、角形状であってもよい。このような形状とすることによって、収納されたロール状包装材料ＲからラップフィルムＳを引き出す時、本体前板１１の上端辺Ｐと線状ではなく、ほぼ点状に接触するために、引き出す際の抵抗が小さくなり、引き出しやすくなる。
この波形の高さは、１ｍｍ以上が好ましく、ピッチは３以上が好ましい。波形の高さが１ｍｍ未満、あるいはピッチが３未満の場合は、収納されたロール状包装材料ＲからラップフィルムＳを引き出しやすくする効果が少なくなる。
【００１２】
一方、蓋体２０の部分では、蓋体天板２１が本体後板１３の下辺に折れ線ｇを介して連設され、そして、この蓋体天板２１の下辺には、蓋体前板２２が折れ線ｈを介して連設されている。また、蓋体天板２１の両側辺には、蓋体側板２３，２３がそれぞれ折れ線ｋ、ｋを介して連設され、蓋体前板２２の両側辺には、蓋体折り込み片２４、２４がそれぞれ折れ線ｉ、ｉを介して連設されている。また、蓋体前板２２には使用時に切り離して鋸刃Ｃを露出させるための切り取り部２２ａが破断線Ｄで区画され、その切り取り部２２ａが貼り合せられる本体前板１１の部分には、表面からの半切れで形成した複数の接着領域Ｈが形成されている。この接着領域Ｈで、本体前板１１に蓋体前板２２の切り取り部２２ａが貼り合わされる。
【００１３】
図４は、本発明のロール状包装材料収納カートンの第二の実施の形態の一実施例を示す斜視図であり、ロール状包装材料収納カートン２は、第一の実施の形態と同様に、ラップフィルムＳを紙管に巻回したロール状包装材料Ｒを収納するカートン本体１０と蓋体２０とから構成されている。そして、ロール状包装材料収納カートン１と異なり、カートン本体１０の本体前板１１の裏面の上縁部には折り返し板１７が折り返して貼り合わされ、その貼り合わされた本体前板１１と折り返し板１７の上端辺Ｑが波形状に形成されていることが特長である。
【００１４】
図５は、本発明はロール状包装材料収納カートン２のブランクを示す展開図である。ブランク２Ａは、ロール状包装材料Ｒを収納するカートン本体１０の部分とカートン本体１０の開口部を覆う蓋体２０の部分から構成されている。そして、第一の実施の形態と同様に、カートン本体１０の部分では本体前板１１、本体底板１２、本体後板１３が順次折れ線ａ、ｂを介して連設され、本体前板１１の両側辺には、本体折り込み片１４、１４がそれぞれ折れ線ｃ、ｃを介して連設され、本体底板１２の両側辺には、本体側板１５、１５がそれぞれ折れ線ｄ、ｄを介して連設され、そして、本体後板１３の両側辺には、本体折り込み片１６、１６がそれぞれ折れ線ｅ、ｅを介して連設されている。さらに、第一の実施の形態と異なり本体前板１１の上辺には、折り返し板１７が折れ線ｆを介して連設されている。そして、その折れ線ｆの一部分には波形状の切れ目Ｆが入れられている。
【００１５】
従って、折り返し板１７を折れ線ｆで本体前板１１の裏面側に折り返して上縁部に貼り合わせた時に、折り返し板１７を貼り合わせた本体前板１１の上端辺Ｑは波形状となる。このような形状とすることによって、収納されたロール状包装材料ＲからラップフィルムＳを引き出す時、折り返し板１７が貼り合わされた本体前板１１の上端辺Ｑと線状ではなく、点状に接触するために、引き出す際の抵抗が小さくなり、引き出しやすくなる。
【００１６】
つぎに、上記の構成からなる板紙製のブランクを組み立ててロール状包装材料収納カートンを形成する工程を、本発明のロール状包装材料収納カートン２を例にあげて説明する。すなわち、ブランク２Ａの必要な箇所に糊付けしつつ折れ線に従って折り曲げて折り畳まれたロール状包装材料収納カートン２を作製し、その後、自動充填包装ラインでロール状包装材料収納カートン２の中にラップフィルムＳがロール状に巻かれたロール状包装材料Ｒを収納する。
【００１７】
まず、折り返し板１７を、図６−ａに示すように、折れ線ｆで内側に折り返し、本体前板１１の裏面の上縁部に貼り合わせる。ついで、本体前板１１を折れ線ａで内側に折り曲げる。さらに、図６−ｂに示すように、蓋体天板２１を折れ線ｇで折り曲げて蓋体前板２２を本体前板１１の上に重ね、蓋体前板２２の切り取り部２２ａと本体前板１１に貼り合せて、図６−ｃに示すような折り畳まれたロール状包装材料収納カートン２を作製する。このように折り畳まれた状態において、内容物のロール状包装材料Ｒを充填する前の保管、輸送などを行う。
【００１８】
つぎに、自動充填包装ラインでロール状包装材料収納カートン２に内容物のラップフィルムＳなどが巻かれたロール状包装材料Ｒを収納する。折り畳まれた状態のロール状包装材料収納カートン１を起こして、図７−ａに示すような四角柱形状とし、一方の側面の開口部からロール状包装材料Ｒを挿入する。ロール状包装材料Ｒを挿入した後、図７−ｂに示すように、本体折り込み片１４、１６を折り曲げ、そして、その上に本体側板１５を折り曲げて本体折り込み片１４、１６と側板１５を貼り合わせる。ついで、蓋体折り込み片２４を折り曲げ、その上に、蓋体側板２３を折り曲げて貼り合わせることによって、一方の側面が形成される。同様にして、もう一方の側面を形成して、図７−ｃに示すようなロール状包装材料収納カートン２が完成される。
【００１９】
実際に、本発明のロール状包装材料収納カートンを使用するには、図８に示すように、蓋体前板２２の切り取り部２２ａを本体前板１１から剥がしながら破断線Ｄに沿って切り取って除去した後、図１に示すように蓋体２０を開け、中のラップフィルムＳの端縁を摘んで所望の長さだけ引き出してから鋸刃Ｃで切断する。この時、本体前板１７の上端辺Ｐが波形状であることから、カートンからラップフィルムＳをスムースに引き出すことができる。
【００２０】
本発明のロール状包装材料収納カートンに収納するロール状包装材料Ｒは、主にラップフィルムＳであり、例えば、塩化ビニリデン系、塩化ビニール系、ポリエチレン系などの合成樹脂フィルムである。また、ラップフィルムＳ以外にも、アルミホイル、ワックスペーパー、その他家庭または店舗等でのロール状包装材料についても利用可能なものである。
【００２１】
さらに、上記の具体例ではロール状包装材料収納カートンについて説明したが、本発明はカートン本体と蓋体とが一体構成されるロール状包装材料収納カートン一般について適用可能であり、また、実施例で示したような直線状の鋸刃を備えたカートンのみならず、中央部がＶ字状に突出したいわゆるＶ字形状の鋸刃が取り付けられたカートンにも適用できることは言うまでもない。
【００２２】
【発明の効果】
以上説明したように、上記の構成からなる本発明のロール状包装材料収納カートンでは、ラップフィルムなどが巻かれたロール状包装材料を収納するカートンであって、カートン本体の本体前板の上端辺を波形状にすることによって、収納したロール状包装材料からラップフィルムなどを引き出す時に、ラップフィルムなどが本体前板の上端辺に接触して滑りにくくなり引き出しにくくなることを防止し、ラップフィルムなどをロール状包装材料から引き出しやすくなり、かつ、簡単にカートンに形成することができるという効果を奏するものである。すなわち、カートン本体の本体前板の上端辺を波形状にすることによって、カートン本体の中で内容物であるロール状包装材料から引き出されたラップフィルムなどが、本体前面の上端辺と接触する部分が少なくなることにより摩擦抵抗が小さくなり、ラップフィルムをカートンから引き出しやすくすることができるという効果がある。
【図面の簡単な説明】
【図１】本発明のロール状包装材料収納カートンの第一の実施の形態の一実施例を示す斜視図である。
【図２】図１に示すロール状包装材料収納カートンを形成するブランクの展開図である。
【図３】本発明のロール状包装材料収納カートンの第一の実施の形態の本体前板の上端辺の形状の例を示す図である。
【図４】本発明のロール状包装材料収納カートンの第二の実施の形態の一実施例を示す斜視図である。
【図５】図３に示すロール状包装材料収納カートンを形成するブランクの展開図である。
【図６】本発明のロール状包装材料収納カートンを折り畳まれた状態に組み立てる工程を説明する図である。
【図７】本発明のロール状包装材料収納カートンにロール状包装材料を収納する工程を説明する図である。
【図８】本発明のロール状包装材料収納カートンを開封する状態を示す斜視図である。
【符号の説明】
１    ロール状包装材料収納カートン（第一の実施の形態）
２    ロール状包装材料収納カートン（第二の実施の形態）
１Ａ  ブランク（第一の実施の形態）
２Ａ  ブランク（第二の実施の形態）
１０    カートン本体
１１    本体前板
１２    本体底板
１３    本体後板
１４    本体折り込み片
１５    本体側板
１６    本体折り込み片
１７    折り返し板
２０    蓋体
２１    蓋体天板
２２    蓋体前板
２２ａ  切り取り部
２３    蓋体側板
２４    蓋体折り込み片
Ｐ    上端辺（本体前板）
Ｑ    上端辺（本体折り返し板が貼り合わされた本体前板）
Ｒ    ロール状包装材料
Ｓ    ラップフィルム
Ｈ    接着領域
Ｃ    鋸刃
Ｄ    切断線
Ｆ    切れ目（折れ線ｆ上）
ａ〜ｊ  折れ線
【図１】
2004168380.tif 000003
【図２】
2004168380.tif 000004
【図３】
2004168380.tif 000005
【図４】
2004168380.tif 000006
【図５】
2004168380.tif 000007
【図６】
2004168380.tif 000008
【図７】
2004168380.tif 000009
【図８】
2004168380.tif 000010